(57)【要約】【課題】  屋根面から滑って落下する作業者を必ず支えることができ、その際の衝撃を緩衝して体を痛たり，怪我をさせるのを防止でき、構造が簡単で、搬送、組付け，解体作業、盛替え作業が容易で、加工性、組付性、経済性に優れた屋根工事用墜落防護装置を提供すること。【解決手段】  建築物Ｂの屋根面１上に任意の間隔を置いて架設した複数の親綱２と，各親綱２にスライド自在に挿入されて任意の位置で停止するガイド３と，各ガイド３に結合した縦材５と横材６とからなる枠体Ａと、各枠体Ａ，Ａ間に結合したネット７とからなる。【選択図】      図１
2006241950.tif 000002
【特許請求の範囲】
【請求項１】
建築物Ｂの屋根面１上に任意の間隔を置いて架設した複数の親綱２と、各親綱２にスライド自在に挿入されて任意の位置で停止するガイド３と、各ガイド３に結合した縦材５と横材６とからなる枠体Ａと、各枠体Ａ，Ａ間に結合したネット７とからなることを特徴とする屋根工事用墜落防護装置
【請求項２】
建築物Ｂの屋根面１と枠組足場Ｃとの間に任意の間隔を置いて設けた複数の枠体Ｄと、各枠体Ｄ，Ｄ間に結合したネット７とからなり、上記枠体Ｄを枠組足場着脱自在に固定した縦材１２と縦材１２に回転自在に枢着されて屋根面１上に載置される横材１３とで構成させたことを特徴とする屋根工事用墜落防護装置
【請求項３】
建築物Ｂの屋根面１に対向して設けた枠組足場Ｃと建築物Ｂの軒下又は屋根面１の端部に設けた係止部材９との間に架設したネット７とからなることを特徴する屋根工事用墜落防護装置
【請求項４】
建築物Ｂの屋根面１上に任意の間隔を置いて架設した複数の親綱２と、各親綱２にスライド自在に挿入されて任意の位置で停止するガイド３と、各親綱２の下端にそれぞれ結合した縦材５と横材６とからなる枠体Ａと、各枠体Ａ，Ａ間に結合したネット７と、上記ガイド３と縦材５との間にブラケット２２を介して結合したロープ２０と、同じく上記ガイド３と上記横材６との間に結合した他のロープ２１とで構成させたことを特徴とする屋根工事用墜落防護装置。
【請求項５】
建築物Ｂの屋根面１と枠組足場Ｃとの間に任意の間隔を置いて設けた複数の枠体Ｅと、各枠体Ｅ，Ｅ間に結合したネット７とからなり、上記各枠体Ｅの一端を枠組足場Ｃの建材２５に回転自在に結合し、他端を屋根面１上に載置させたことを特徴とする屋根工事用墜落防護装置。
【請求項６】
屋根面１上に固定した複数の梯子３５，３５と、各梯子３５，３５の側部に起立して設けた支柱３０，３０と、各支柱３０，３０を介して上記梯子３５，３５に着脱自在に結合したフレーム２９からなる枠体２７，２８と、各枠体２７，２８に展張したネット７とから構成されていることを特徴とする屋根工事用墜落防護装置。
【発明の詳細な説明】
【技術分野】
【０００１】
本発明は、建築物の屋根工事、特に、屋根の新築又は、改修工事に際して、作業者が過って屋根から下方に墜落するのを防護する屋根工事用墜落防護装置に関する。
【背景技術】
【０００２】
一般に、住宅等の建築物の屋根は瓦やスレートが破損したり、スレートの塗装が剥れたり、瓦やスレートを支える木材が腐ったりすると雨漏りの原因になり、建築物の耐久性も劣ることから、その都度瓦やスレートの補修，交換，塗装の塗り替え等の屋根面が必要となる。
【０００３】
この場合、従来は、建築物の周囲に工事用足場を組付け、この足場を利用して屋根面の改修工事を行なうのが一般的である。
【０００４】
しかしながら、この足場は組付け，解体作業が困難で屋根面工事より費用がかかる場合がある。
【０００５】
また、この足場は、作業者が歩行したり、昇り降りするもであって、作業中に瓦やスレートの破片等の落下を防止する機能は備えていないので建築物の下方にいる人にとっては非常に危険である。
【０００６】
この為、特許文献１に示すような屋根改修工事用仮設棚が開発されている。
【０００７】
この屋根改修工事用仮設棚は、屋根面上の固定した固定ベースと、固定ベースに係止部を介して固定ベースに係止されながら屋根面に沿うベース体と、ベース体の下部に立設した棚部と、棚部の下方に設けた受け部とからなり、棚部と受け部にはそれぞれ網状のシート材が取り付けられたものである。
【特許文献１】特開２００２−２１３０５５号公報（図面、要約）
【発明の開示】
【発明が解決しようとする課題】
【０００８】
上記特許文献１に示す屋根改修工事用仮設棚は、工事中瓦やスレート等の破片、工事道具が屋根面から落下しても受け部におけるシート材で改修するから屋根面より下方にこれらが落下するのを防止でき、安全であり、また、作業者が屋根面上で滑っても一応棚部や棚部に設けたシート材で支える事が出来る。
【０００９】
しかしながら、この仮設棚では、作業者が屋根面に沿って滑り落ちたような場合、棚部に展張したシート材で作業者を支えたとしてもシート材が緊張している為に衝突時の緩衝効果が小さく体を痛め、あるいは跳ね返って怪我をする場合もある。
【００１０】
更に、この際、棚部に設けたシート材で作業者を必ず支えてくれるかどうか保証がなく、滑り角度や作業者の姿勢によっては支柱たる剛体の棚部に直接衝突してしまう場合があり、この場合にはクッションが効かず作業者が怪我をする場合がある。
【００１１】
又、受け部にもシート材が設けられているが、所詮これは工事中に発生する破片等を回収するもので作業者を支えることは出来ない。
【００１２】
更に、上記の仮設棚は、屋根面に設置する場合、ベース体を屋根面にアンカーで固定し、このベース体に係止部を引っ掛けるようにしている為、屋根面に対する組付け、撤去の作業が困難であり、又全体の構造も複雑であるから重量が重く他の作業位置に盛り替える作業が困難でもあり、更には、加工性，組付性、経済性にも劣るものである。
【００１３】
そこで、本発明の目的は、屋根面上から滑って落下する作業者を必ず支えることができ、その際の衝撃を緩衝して体を痛めたり，怪我をさせるのを防止でき、構造が簡単で、搬送，組付け，解体作業，盛替え作業が容易で、加工性，組付性，経済性にも優れた屋根工事用墜落防護装置を提供することである。
【課題を解決するための手段】
【００１４】
上記の目的を達成する為、本発明の第１の手段は、建築物の屋根面上に任意の間隔を置いて架設した複数の親綱と、各親綱にスライド自在に挿入されて任意の位置で停止するガイドと、各ガイドに結合した縦材と横材とからなる枠体と、各枠体間に結合したネットとからなることを特徴とする。
【００１５】
同じく、他の手段は、建築物の屋根面と枠組足場との間に任意の間隔を置いて設けた複数の枠体と、各枠体間に結合したネットとからなり、上記枠体を枠組足場着脱自在に固定した縦材と縦材に回転自在に枢着されて屋根面上に載置される横材とで構成させたことを特徴とする。
【００１６】
同じく、更に別の手段は、建築物の屋根面に対向して設けた枠組足場と建築物の軒下又は屋根面の端部に設けた係止部材との間に架設したネットとからなることを特徴する。
【００１７】
同じく、他の手段は、建築物の屋根面１上に任意の間隔を置いて架設した複数の親綱と、各親綱にスライド自在に挿入されて任意の位置で停止するガイドと、各親綱の下端にそれぞれ結合した縦材と横材とからなる枠体と、各枠体間に結合したネットと、上記ガイドと縦材との間にブラケットを介して結合したロープと、同じく上記ガイドと上記横材との間に結合した他のロープとで構成させたことを特徴とする。
【００１８】
同じく他の手段は、建築物の屋根面と枠組足場との間に任意の間隔を置いて設けた複数の枠体と、各枠体間に結合したネットとからなり、上記各枠体の一端を枠組足場の建材に回転自在に結合し、他端を屋根面上に載置させたことを特徴とする。
【００１９】
更に別の手段は、屋根面上に固定した複数の梯子と、各梯子の側部に起立して設けた支柱と、各支柱を介して上記梯子に着脱自在に結合したフレームからなる枠体と、各枠体に展張したネットとから構成されていることを特徴とする。
【発明の効果】
【００２０】
各請求項の発明によれば、必ずネットを備えているから、社業者が滑って屋根面に沿って落下してもネットで必ず社業者を支えることができ、この際ネットの伸び、たるみで緩衝効果を発揮して作業者に対するショックの発生を防止し、併せて体を痛たり、怪我をするのが防止できる。
【００２１】
同じく、各請求項の発明は、構造応が簡単であるから、搬送，組付け，盛替え，解体が容易であり、加工性，組付け性，経済性に優れている。
【発明を実施するための最良の形態】
【００２２】
以下、本発明の実施の形態を部に基づいて説明すると、図１乃至図２は、本発明の一実施の形態を示すもので、これは、建築物Ｂの屋根面１上に任意の間隔を置いて架設した複数の親綱２と、各親綱２にスライド自在に挿入されて任意の位置で停止するガイド３と、各ガイド３に結合した縦材５と横材６とからなる枠体Ａと、各枠体Ａ，Ａ間に結合したネット７とからなるものである。
【００２３】
各親綱２の両端は、屋根の端部ひさしに着脱自在に結合した止め具９を介して結合され、公知の緊張具８で長さ調整すると共にテンションを調整している。
【００２４】
止め具は、断面コ字状の引っ掛け具１８とこの引っ掛け具１８をひさしに締結するボルト又はスクリューねじ１９とで構成されている。
【００２５】
ガイド３は、ロリップ（商標）等から構成され、親綱２に沿って任意の位置までスライドすると共にストッパを利用して任意の位置で停止させておくことが出来るようになっている。
【００２６】
言い換えれば、作業位置に応じてガイド３をスライドさせ、このガイドの位置に応じてネット７を位置決めさせている。
【００２７】
緊張具８は、ハンドル１０の回動操作で親綱２を弛めたり、緊張させたりしてその長さとテンションを調整し、テンションに応じた緩衝効果を得ることが出来るようになっている。
【００２８】
親綱２には命綱を固定又はスライド自在に取付け、この命綱の他端を作業者の体に巻き付けて安全を図るようにしても良い。
【００２９】
縦材５と横材６は、側面Ｖ字状に一体成形され、各横材６は、緩衝材１１を介して屋根面１上に載置しておくのが好ましい。ただし、直接屋根面１においても良い。
【００３０】
各縦材５，５間には横支柱５Ａを架設して補強を図っているが、これは無くても使用可能である。
【００３１】
各縦材５には上下にネット止め具５Ｂ，５Ｂを設け、このネット止め具５Ａ，５Ａと横材６の側部との間にネット７展張させている。
【００３２】
これにより、このネット７は、必ず縦材５より屋根面１側に配置されるようになっている。
【００３３】
この実施の形態に係る屋根工事用墜落防護装置によれば、工事中作業者が滑って屋根面１に沿って滑り落ちた場合、作業者はネット７に引っかかって支えられるから屋根下に墜落するのが防止される。
【００３４】
この時、ネット７と親綱２が同時に弛んだり、伸びたりする為、緩衝効果を発揮して衝撃を吸収し、体を痛めたり、怪我の発生を防止できる。
【００３５】
図３は、本発明の他の実施形態を示すもので、これは、建築物Ｂの屋根面１と枠組足場Ｃとの間に任意の間隔を置いて設けた複数の枠体Ｄと、各枠体Ｄ，Ｄ間に結合したネット７とからなり、上記枠体Ｄを枠組足場着脱自在に固定した縦材１２と、縦材１２に回転自在に枢着されて屋根面１上に載置される横材１３とで構成させたものである。
【００３６】
この場合、建築物Ｂの屋根の高さはいろいろある為、その高さに応じて、横材１３は、ピンＰを中心に矢印Ｙに沿って回転出来るようにし、屋根面１の高さにかかわらず、当該屋根面１上に横材１３の端部を載せることが出来るようにしている。
【００３７】
隣接する縦材１２，１２間には横支柱１６を架設して補強を図っても良い。
【００３８】
横材１３は、直接屋根面１に載せても良いが、図示のように、緩衝材１５を介して載置しても良い。この実施の形態によれば、作業者が屋根面１の上方から滑り落ちても軒下の手前でネット７に引っかかり、このネット７が弛みながら作業者を支えるので軒下まで墜落するのが防止される。しかも、ネット７は、緩衝効果を有しているから体を痛めたり、怪我をするのを防止する。
【００３９】
図４は、本発明の更に別の実施の形態を示すもので、これは、建築物Ｂの屋根面１に対向して設けた枠組足場Ｃと建築物Ｂの軒下又は屋根面１の端部に設けた複数の止め具材９との間に架設したネット７とからなることを特徴するものである。
【００４０】
止め具９は、先の実施の形態と同じく断面コ字状の引っ掛け具１８とスクリューねじ１９からなり、例えば、引っ掛け具１８を軒下に配置されている横柱１７等の取付部材に引っ掛けてスクリューねじ１７で固定されている。
【００４１】
そして、枠組足場Ｃの建材の上部と各引っ掛け具１９におけるスクリューねじ１９との間にネット７を架設している。
【００４２】
この為、屋根面１の改修工事中に作業者が滑り落ちてきた時、作業者をネット７が支え、作業者を軒下に墜落させるのを防止するとともに、ネット７による弛みによる緩衝効果で衝撃を緩和させ、安全性を図っている。
【００４３】
図５は、本発明の他の実施形態を示し、これは、上記した図１，図２に示す実施の形態を若干変更したものであり、基本的な構成、作用効果は図１の実施の形態と同じである。
【００４４】
即ち、この屋根工事用墜落防護装置は、建築物Ｂの屋根面１上に任意の間隔を置いて架設した複数の親綱２と、各親綱２にスライド自在に挿入されて任意の位置で停止するガイド３と、各親綱２の下端にそれぞれ結合した縦材５と横材６とからなる枠体Ａと、各枠体Ａ，Ａ間に結合した弾性なネット７と、上記ガイド３と縦材５との間にブラケット２２を介して結合したロープ２０と、同じく上記横材６との間に結合した他のロープ２１とで構成されている。
【００４５】
この実施の形態では、作業者が屋根面１に沿って滑り落ちてネット７で支えられたとき、衝撃が縦材５や横材６に作用し、特に縦材５を変形させて下方に反り返らせるのを防止している。
【００４６】
即ち、衝撃が縦材５に作用した時でもロープ２０が突っ張ってこの縦材５を上方に向けて牽引しているので縦材５が屋根面Ｂの下方に向けて曲がらず、従ってネット７も反り返らず正常位置に保持され、より確実な安全性を図れる。その他の構成、作用効果は図１の実施の形態と同じであるから詳細は省略する。
【００４７】
図６は、本発明の更に別の実施の形態に係わり、こらは、上記図３および図４に示す実施の形態を変更したものである。
【００４８】
これは、建築物Ｂの屋根面１と枠組足場Ｃとの間に任意の間隔を置いて設けた複数の枠体Ｅと、各枠体Ｅ，Ｅ間に結合した弾性ネット７とからなり、上記各枠体Ｅの一端を枠組足場Ｃの建材２５に回転自在に結合し、他端を屋根面１上に載置させるものである。
【００４９】
この場合、枠体Ｅは矩形に成形され、建材２５の上端には横支柱２６が架設され、この横支柱２６に枠体Ｅがヒンジ２４を介して回転自在に結合されている。
【００５０】
その他の構成および作用効果は、図３，図４の実施の形態と同じである。
【００５１】
次ぎに、図７乃至図９は、本発明の他の実施形態を示すもので、これは、屋根面１上の配置した梯子３５，３５に跨って弾性ネット７を設置したものである。
【００５２】
即ち、この屋根工事用墜落防護装置は、屋根面１上に固定した複数の梯子３５，３５と、各梯子３５，３５の側部に起立して設けた支柱３０，３０と、各支柱３０，３０を介して上記梯子３５，３５に着脱自在に結合したフレーム２９からなる枠体２７，２８と、各枠体２７，２８に展張した弾性ネット７とからなるものである。
【００５３】
各枠体２７，２８は、矩形に成形しているが、これらは一体に成形しても良く、それぞれ別々に成形して後から接続しても良く、枠体２７に対して他の枠体２８を単純にそのまま結合しても良く、又はスライド自在に結合しても良い。
【００５４】
支柱３０に対して各枠体２７，２８，２９を結合する方法はいろいろあるが、例えば、図９に示す引っ掛け部材３１が使用される。
【００５５】
この引っ掛け部材３１は、側面爪状のブラケット３２と、ブラケット３２の筒部３２Ｂにスライドに挿入したロッド３３と、ロッド３３の先端に形成されて上記ブラケット３２の先端爪部３２Ａに対向するフック３４と、ロッド３３の後端にねじ結合したナット３６とで構成されている。
【００５６】
そして、図９（Ａ），（Ｂ）に示すように、ブラケット３２を枠体２７，２８のフレーム２９と支柱３０のどちらか一方に結合しておき、支柱３０とフレーム２９をブラケット３２の爪部３２Ａとフック３４とで平行に抱き込みながらナット３６で締付けて挟持するものである。
【００５７】
この実施の形態では、屋根面１の上方から作業者が落下したり、建築部材が滑り落ちてきてもこれらはネット７で支えられてそれ以上の落下を防止すると共に、ネット７の弾性で衝撃を吸収でき、安全である。
【００５８】
上記の各実施の形態では、支え部材として弾性な網状のネット７を使用しているが、弾性な布製シート、樹脂製シート、ゴム、スプリング、その他の弾性部材であっても良い。
【００５９】
尚、梯子３５の両側又は片側にフレーム３０からなる手摺（図示せず）を起立し、この手摺に枠体２７，２８を直交して結合する場合もあり、この場合には、図９（Ｃ）に示すように、フレーム２９と手摺のフレーム３０とを直交させながらブラケット３２の爪部３２Ａとフック３４とで挟持する。作用効果は、図９の（Ａ），（Ｂ）の実施の形態の場合と同じである。
【図面の簡単な説明】
【００６０】
【図１】（Ａ）（Ｂ）は本発明の一実施の形態に係る屋根工事墜落防止装置の平面図と正面図である。
【図２】（Ａ）（Ｂ）は図１一部拡大平面図と一部拡大正面図である。
【図３】（Ａ）（Ｂ）は他の実施の形態に係る屋根工事墜落防止装置の一部拡大平面図と正面図である。
【図４】（Ａ）（Ｂ）は更に他の実施の形態に係る屋根工事墜落防止装置の一部拡大平面図と正面図である。
【図５】（Ａ）（Ｂ）は更に他の実施の形態に係る屋根工事墜落防止装置の平面図と正面図である。
【図６】（Ａ）（Ｂ）は更に他の実施の形態に係る屋根工事墜落防止装置の平面図と正面図である。
【図７】本発明の他の実施形態に係る屋根工事墜落防止装置の斜視図である。
【図８】図７枠体部分の拡大正面図である。
【図９】（Ａ）（Ｂ）（Ｃ）は図７の屋根工事墜落防止装置に使用するブラケットの使用状態を示す正面図と平面図である。
【符号の説明】
【００６１】
１  屋根面
２  親綱
３  ガイド
５  縦材
６  横材
７  ネット
９  止め具
１２  縦材
１３  横材
２０、２１  ロープ
２２  ブラケット
２５  建材
２７，２８  枠体
３０  支柱
３１  引っ掛け部材
３２  ブラケット
３２Ａ  爪部
３３  ロッド
３４  フック
３５  梯子
【図１】
2006241950.tif 000003
【図２】
2006241950.tif 000004
【図３】
2006241950.tif 000005
【図４】
2006241950.tif 000006
【図５】
2006241950.tif 000007
【図６】
2006241950.tif 000008
【図７】
2006241950.tif 000009
【図８】
2006241950.tif 000010
【図９】
2006241950.tif 000011